(57)【要約】【課題】データ記憶装置の構成部品などの、第１の部材を第２の部材に接着で取り付ける装置及び方法を提供すること。【解決手段】接着剤は第１の部材に塗布し、紫外線に暴露することが好ましい。第２の部材を接着剤の上に置き、硬化を完了させるために熱を加える。その後、接着剤は、第１及び第２部材を分離させるために接着剤のガラス遷移温度（Ｔｇ）より下の温度に冷却する。第１及び第２部材のそれぞれの合せることができる表面は、表面接着促進剤、又は部材の１つにのみ微構造の模様を設けることによってなど、異なる接着接合特性を備えることが好ましい。この方法により、第１及び第２部材の分離に際し、実質的に全ての接着剤がもう１つの部材から取り除かれる。充填材料がさらに、接着剤の厚さを形成し、それぞれの部材の分離中、接着剤の構造的均一性を高める。【選択図】図４
2007009168.tif 000002
【特許請求の範囲】
【請求項１】
第１の部材を第２の部材に取り付けるために接着剤を使用し、前記第１及び第２部材をその後に分離させるために、前記接着剤を前記接着剤のガラス遷移温度より下に冷却する段階を含む方法。
【請求項２】
前記第１及び第２部材を分離させるために、前記接着剤が前記ガラス遷移温度より下の前記温度にある間に、機械的力を前記第１及び第２部材のうちの少なくとも選択した１つに加えることをさらに含む、請求項１に記載の方法。
【請求項３】
異なる接着剤結合特性を伴う、前記第１及び第２部材のそれぞれ合せ面を、選択的に構成する事前の段階をさらに含む、請求項１に記載の方法。
【請求項４】
前記第１及び第２部材の分離に際し、実質的に全ての前記接着剤が前記第２の部材から取り除かれ、前記第１の部材に保持されるように、前記第１の部材にのみ表面接着促進剤を塗布する事前段階をさらに含む、請求項１に記載の方法。
【請求項５】
前記第１及び第２部材の分離に際し、実質的に全ての前記接着剤が前記第２の部材から取り除かれ、前記第１の部材に保持されるように、前記第１の部材にのみ微構造の模様を施す事前段階をさらに含む、請求項１に記載の方法。
【請求項６】
前記使用する段階の接着剤が、超酸触媒及び光開始剤を伴う非芳香性、柔軟性、非連鎖直線エポキシを含む、請求項１に記載の方法。
【請求項７】
前記接着剤が、蛍光剤をさらに含む、請求項６に記載の方法。
【請求項８】
前記使用する段階が、前記第１及び第２部材間に所望の分離距離を形成し、前記部材の分離中前記接着剤の構造的均一性を高める、充填材料を前記接着剤に供給することを含む、請求項１に記載の方法。
【請求項９】
前記使用する段階が、前記接着剤を前記第１及び第２部材のうちの選択した１つに塗布し、前記接着剤の硬化を開始させるために前記接着剤を紫外線に暴露し、前記接着剤の上に前記第１及び第２部材のうちの前記残りの１つを置き、前記接着剤の硬化を完了させるために前記接着剤に熱を加える段階をさらに含む、請求項１に記載の方法。
【請求項１０】
前記冷却段階の後で、前記接着剤が前記第１及び第２部材に接着している程度を評価するために、前記分離した第１及び第２部材のうちの少なくとも選択した１つに紫外線を作用させる段階をさらに含む、請求項１に記載の方法。
【請求項１１】
前記第１及び第２部材のうちの選択した１つがアクチュエータ・アームを含み、前記第１及び第２部材のうちの前記残りの１つがデータ・トランスデューサを支持する懸架アセンブリを含む、請求項１に記載の方法。
【請求項１２】
前記第１及び第２部材のうちの選択した１つが懸架アセンブリを含み、前記第１及び第２部材のうちの前記残りの１つがデータ・トランスデューサを含む、請求項１に記載の方法。
【請求項１３】
第１の部材、第２の部材、及び第１部材を第２部材に取り付ける接着剤を備え、前記第１部材、前記第２部材及び前記接着剤はそれぞれ、その後に前記接着剤を前記接着剤のガラス遷移温度より下に冷却し、前記第１及び第２部材の分離を行う際に、実質的に全ての前記接着剤が前記第１及び第２部材のうちの選択した１つから取り除かれ、前記第１及び第２部材のうちの残りの１つに保持される装置。
【請求項１４】
前記第２の部材ではなく、前記第１の部材にのみ塗布された表面接着促進剤をさらに含む、請求項１３に記載の装置。
【請求項１５】
前記第１の部材が微構造の模様を備え、前記第２の部材が微構造の模様を備えない、請求項１３に記載の装置。
【請求項１６】
前記使用する段階の接着剤が、超酸触媒及び光開始剤を伴う非芳香性、柔軟性、非連鎖直線エポキシを含む、請求項１３に記載の装置。
【請求項１７】
前記接着剤が、前記分離された第１及び第２部材のうちの少なくとも選択した１つの上に残る接着剤の程度の目視検出を容易にするように構成された蛍光剤をさらに含む、請求項１６に記載の装置。
【請求項１８】
前記第１及び第２部材が、基本的にアクチュエータ・アーム、懸架装置、及びデータ・トランスデューサからなるグループから選択される、請求項１６に記載の装置。
【請求項１９】
前記第１及び第２部材の分離に際し、前記第１及び第２部材間に分離距離を形成し前記接着剤の構造的均一性を高める、充填材料をさらに含む、請求項１３に記載の装置。
【請求項２０】
第１の部材、第２の部材、及び接着剤を備え、前記第１及び第２部材は、前記第１及び第２部材を取り付け、及び分離する複数の段階によって、取り付けられその後分離される装置。
【発明の詳細な説明】
【技術分野】
【０００１】
特許請求の範囲に記載した発明は、一般に接着剤の分野に係り、より詳しくは、ただし限定するものではないが、データ記憶装置の構成部品などの第１の部材を第２の部材に接着で取り付けるための装置及び方法に関する。
【背景技術】
【０００２】
接着剤は、第１の部材を第２の部材に取り付けるために様々な用途で使用されている。例えば、設計者は、剛体のアクチュエータ・アームに、データ記憶媒体（ディスク）に隣接してデータ・トランスデューサを支持するように構成した懸架アセンブリ（屈曲部（ｆｌｅｘｕｒｅ））を取り付けるなど、データ記憶装置の製造中に接着剤を使用する様々な構成を提案してきている。
【０００３】
実施可能ではあるが、これらの用途そして他の用途に接着剤を使用することに関連して、多くの制限がある。熱硬化接着剤は、非常に強い接着接合部をもたらすが、過度に高い温度を要し、オフラインでの操作および固定具を必要とする可能性がある。
【０００４】
紫外線（ＵＶ）硬化接着剤は、十分に強い接着接合部をもたらさない可能性があり、ＵＶ硬化部を形成するためにオフライン操作も必要とする場合がある。構成部品の干渉により、ＵＶ光が接着剤に到達するのが遮断され、又は妨げられるシャドウイング効果も、必要な接合強度を確立する能力を制限する可能性がある。
【０００５】
第１及び第２の部材をその後分離することが望ましい場合もあり、これら及び他の従来技術手法は、それぞれの部材に残留する接着剤の分布を適切に制御できない可能性がある。
【発明の開示】
【発明が解決しようとする課題】
【０００６】
したがって、制御された方法でそれぞれの部材を接着で取り付け、その後に分離することができる、この分野の改善が継続的に求められている。
【課題を解決するための手段】
【０００７】
本発明の好ましい実施例は一般に、データ記憶装置の構成部品などの、第１の部材と第２の部材とを取り付ける装置及び方法に対するものである。
【０００８】
好ましくは接着剤を第１の部材に塗布し、その接着剤の硬化を開始させるように紫外線光に暴露し、第２の部材を接着剤の上に置き、そして接着剤に熱を加え硬化を完了させることによって、第１の部材を第２の部材に取り付けるために接着剤が使用される。
【０００９】
この接着剤は、その後第１の及び第２の部材を分離するための、接着剤のガラス遷移温度（Ｔｇ）より低い温度まで冷却される。この冷却が接着剤を実質的に脆い状態に置き、比較的小さな機械的な力で部材を分離することができる。
【００１０】
第１及び第２部材のそれぞれの合せ面は、部材のうちの選択した一方にのみ表面接着促進剤を塗布し、又は微構造の模様を施すなどによって、異なる接着剤結合特性を備えることが好ましい。これに代えて、又は追加して、接着厚さを制御し接着剤の構造的均一性を高めるため、充填材料を接着剤に加えることが好ましい。
【００１１】
この方法によって、第１及び第２部材の分離に際して、実質的に全ての接着剤が選択した部材上に好ましくは保持され、実質的に全ての接着剤が残りの部材から取り除かれる。
【００１２】
用途はいくらでも企図されるが、好ましい実施例では、第１及び第２部材はトランスデューサをデータ記憶媒体に隣接して支持するのに使用するアクチュエータ・アーム及び懸架装置を含む。代替の好ましい実施例では、第１及び第２部材は、懸架装置及びトランスデューサを含む。
【００１３】
特許請求の範囲に記載の発明を特徴とする、これら及び様々な他の特徴及び利点は、以下の詳細な説明を読み、関連する図面を検討することによって明らかになるであろう。
【実施例】
【００１４】
本発明の好ましい実施例を有利に実施できる例示的な環境を設けるために、図１に、コンピュータ化されたデータを記憶し、読み出すように構成される種類のデータ記憶装置１００の分解図を提供する。
【００１５】
環境を制御したハウジング１０２は、基台デッキ１０４及び頂部カバー１０６から形成される。スピンドル・モータ１０８が、多くの磁気データ記憶媒体１１０（この場合は２つ）を比較的高速で回転させるためにハウジング１０２内に取り付けられている。
【００１６】
アクチュエータ１１２が、好ましくはボイス・コイル・モータ（ＶＣＭ）として特長づけられるアクチュエータ・モータ１１４によって回転する。図示のように、複数の剛体のアクチュエータ・アーム１１６が、アクチュエータ１１２から媒体１１０に向かって突き出している。懸架装置（屈曲部）１１８が、媒体１１０の記憶表面に隣接してデータ・トランスデューサ１２０を支持するようにアクチュエータ・アーム１１６から延びる。
【００１７】
屈曲性の回路アセンブリ（組立体）１２２が、アクチュエータ１１２と外部に取り付けられたプリント回路基板（ＰＣＢ）１２４の間の電気的通信回路を形成する。ＰＣＢ１２４は、装置１００の制御及びホストとの通信を容易にするために、様々な回路及びコネクタ（分離して図示せず）を支持する。
【００１８】
装置１００は、数百、又は数千個の名目上同一の装置が毎日製造される自動化された製造環境で製作されることを企図している。そのような製造は、装置を最終の形態に順番に組み立てる、一連の自動化した組立てステーションにパレットを運ぶことによって行われることが好ましい。
【００１９】
図２に全体的に示しているように、懸架装置１１８及びアクチュエータ・アーム１１６などの様々な構成部品を、組立て工程中に接着剤を使用して一緒に取り付けることが好ましい。懸架装置１１８に対するトランスデューサ１２０、基台デッキ１０２に対する屈曲性回路アセンブリ１１２、アクチュエータ１１２の回転動作を支持するのに使用するベアリング・アセンブリ（番号で指示せず）などを含む、他の構成部品も同様に接着剤を使用して有利に付け加えることができる。
【００２０】
したがって図３は、第１の部材を第２の部材に取り付けるための、本発明の好ましい実施例により実施する段階を示す、組立て手順（ＡＳＳＥＭＢＬＹ  ＲＯＵＴＩＮＥ）１３０用の流れ図を提供する。図４は、図２のアーム１１６及び懸架装置１１８を図示の一例として使用する、図３の様々なステップに対応する一連の図を提供する。
【００２１】
ステップ１３２で、接着剤の層が最初に第１の部材に塗布される。この接着剤は、図４に１３４で表示され、懸架装置アセンブリ１１８に塗布されるべきものとして示している。しかしながら、これは論議の目的のためのみであり、接着剤は所望の場合、これに代えて最初にアクチュエータ・アーム１１６に塗布することもできる。
【００２２】
接着剤１３４は、非芳香性、柔軟性、（架橋のない）非連鎖直線（ｎｏｎ−ｃｈａｉｎ  ｌｉｎｅａｒ）エポキシとして特長づけられることが好ましい。以下で説明するように、接着剤の配合はさらに、超酸（ｓｕｐｅｒ  ａｃｉｄ）触媒及び重合（硬化）工程を高める光開始剤を含むことが好ましい。所望の場合、適切な蛍光剤も接着剤配合に加えることができる。適切な配合物は、Ｔｈｅ  Ｈｅｎｋｅｌ  Ｇｒｏｕｐ，Ｄｕｅｓｓｅｌｄｏｒｆ，Ｇｅｒｍａｎｙなどの多数の供給源から商業的に得ることができる。
【００２３】
接着剤１３４は、その用途の指定した動作／記憶温度要件の範囲よりかなり低いガラス遷移温度（Ｔｇ）を有するよう選択することが好ましい。例えば、装置１００は、５℃から８５℃の指定した温度要件範囲を有することが企図されている。接着剤のＴｇは、−２５℃など、この範囲より相当低く選択することが好ましい。
【００２４】
この分野の専門家なら分かるように、Ｔｇは高分子が一般に粘性の（ゴム状の）状態から固体、非晶質（ガラス）状態に遷移する温度を呼ぶ。Ｔｇは高分子の異なる種類に対して大幅に変化する可能性があり、ゴム状からガラスへの遷移はしばしば、性質の変化がより急激ではなく漸進的である。
【００２５】
参考として、図４で適用する接着剤１３４は、第１の部材上でほぼ均一な厚さを有して示している。ステップ１３２の操作によって、結果としてこの形状にすることができるのであるから、別法として接着剤１３４を１つ又は複数の局所的な点として塗布し、その後、第１及び第２部材間でほぼ均一な厚みをもたらすように「押しつぶす」ことができることは企図している。
【００２６】
図３の流れを続けると、次に、硬化工程を開始させるために、接着剤１３４のＵＶ活性化をステップ１３６で開始することが好ましい。これは、接着剤１３４をＵＶ源１３８からの紫外（ＵＶ）線に暴露することによって行うことが好ましい。上記で説明したような配合に対しては、これは結果として「グリーン・タイム（ｇｒｅｅｎ  ｔｉｍｅ）」、又はステップ１３８でのように、接着剤が第２の部材と対合することができる適度に短い時間（例えば、５分）の開始となる。
【００２７】
第２の部材（アクチュエータ・アーム１１６）を接着剤１３４の上に置いた後、図３の流れはステップ１４２に続き、そこで接着剤の硬化を促進し完了させるために接着剤１３４に熱が加えられる。この熱は、対流高温空気源又は輻射熱源などの適切な熱源１４４によって供給される。
【００２８】
ステップ１４２の操作は、接着剤が到達する温度が従来の熱硬化に必要とする温度より一般に低い（例えば、多分５００℃又はそれ以上に対して多分３００℃程度）ので、「熱上昇（ｔｈｅｒｍａｌ  ｂｕｍｐ）」の付加と呼ぶことが好ましい。接着剤１３４及び部材１１６、１１８は周辺温度に戻すことができ、接着剤は、工程がステップ１４６で終了する最終的な硬化状態をほぼ達成する。
【００２９】
いくつかの実施例では、通常の状況ではその組合せの動作寿命の間、第１部材及び第２部材は図３の手順に従って取り付けられたままであることが企図されている。
【００３０】
しかしながら、ある状況の下ではその後の時点で、部材の所望の動作、修繕を容易にするため、又は他の再加工型作業の結果のいずれかとして、後で第１及び第２部材を分離することが望ましい場合がある。例えば、前述の製造工程中、特定のデータ・トランスデューサ１２０が動作不能であると判定される可能性がある。ある状況では、アクチュエータ１１２全体を単に廃棄するのが経済的な道理にかなう可能性があるが、別の状況では、もし可能なら困りもののトランスデューサを取り外し、新しい代替のスライダー／トランスデューサを再取付することが望ましい場合がある。
【００３１】
新しい設計の工学的な評価、又は信頼性試験も、異なる様式又は型式の懸架装置を取り付けて、特定のアクチュエータ・アームを使用するのが望ましい場合がある。ここではアーム１１６及び懸架装置１１８を論じているが、このことは他の部材の組合せについても同じである。
【００３２】
したがって図５は、第１及び第２部材をその後分離するための、本発明の好ましい実施例により実施する段階を示す、分解手順（ＤＩＳＡＳＳＥＭＢＬＹ  ＲＯＵＴＩＮＥ）１５０を提供する。前述同様に図６は、図５で示すステップに対応する一連の図を提供する。
【００３３】
ステップ１５２で、接着剤１３４は接着剤の選択したＴｇより下の温度に局所的に冷却される。これは、渦巻き式冷却機、手持ち式スポット冷却機、低温ミニ・ガンなどの、図６に示す適切な冷却源を使用して行うことが好ましい。
【００３４】
冷却源５４は、接着剤／部材を横断して低温流体（例えば、冷却された空気）を供給し、接着剤１３４の温度を低下させるため熱が接着剤／部材からこの流体に伝達されることが好ましい。接着剤１３４の温度は、装置１００の部材又はそれを取り囲む要素に損傷を引き起こすことなく、実際的な低い温度（例えば、−１００℃など）に低下させることが好ましい。
【００３５】
Ｔｇより下の温度に冷却した後、接着剤１３４は非晶質（ガラス）状態に遷移し、性質的に脆くなっているであろう。したがって、（図６のベクトル１５８で示すような）機械的な力を加えると、結果的にそれぞれの部材は比較的容易に分離されるであろう。
【００３６】
部材の任意選択の検査を、次にステップ１６０で行うことができる。前述の蛍光剤の接着剤の配合中への混入によって、部材上に残された残留接着剤の程度を検出することを容易にする（光源１３８などの）ＵＶ光の適用が可能となる。次いで、流れはステップ１６２で終わる。
【００３７】
接着剤配合に応じて、ステップ１５６で加えられる機械的力１５８は、周囲温度状態で第１及び第２部材を分離するのに通常必要な力のわずか５〜１０％になる可能性がある。これによって、部材の１つ又は両方を変形させる可能性のある応力又は他の効果が有利に減少する。例えば、アクチュエータ・アーム１１６の特定の性質（角度、平坦度、Ｚ軸高さなど）を高度に制御することができ、そのためそれは図５の手順中これらの特性に悪影響を与えないので、アームの再使用を可能にするために望ましい場合がある。
【００３８】
これらの方針に沿って、第１及び第２部材のそれぞれの合せ面は、異なる接着剤接合特性を備えることが好ましい。１つの部材が他の部材と比較して接着剤が付着しやすい傾向を増大させることによって、図６に示すように、実質的に全ての接着剤を部材のうちの１つから取り除き、他の部材に保持させることができる。
【００３９】
図７は、表面接着促進剤１６４をただ１つの部材（この場合は、懸架装置１１８）に塗布するのを示す。材料１６４は、シラン剤など多くの種類を使用することができ、接着剤１３４用の「１次」被膜としての機能を果す。図８で、接着剤１３４の接着性を他の部材と比較してこの部材に対して高めるために、一連の移動止めなどの微構造の模様１６６が、１つの部材（懸架装置１１８）に対してのみ適用される。
【００４０】
これに代えて、又はこれに加えるに、図９に示すように多数のガラス球１６８などの不活性の充填材料を接着剤１３４に加えることができる。この充填材料は、一般に第１及び第２部材１１６、１１８間に所望の分離距離を形成し、その結果、接着剤１３４の厚さを制御する。この充填材料はさらに、第１及び第２部材１１６、１１８の分離の際に、接着剤１３４の構造的均一性を維持するのを有利に助ける。
【００４１】
５〜１０容量％程度の充填材料などの、比較的少量の充填材料を含ませることが好ましい。充填材料は、接着剤及び充填材料の両方を同時に第１の部材に塗布するように（図３のステップ１３２）、最初に接着剤１３４に混入することができる。別法として、接着剤を第１部材に塗布し、次いで充填材料を第２部材を対合させる前に（例えば、ステップ１４０の前に）堆積させることもできる。
【００４２】
本発明で示す様々な好ましい実施例は、従来技術を越えるいくつかの利点をもたらす。接着剤１３４は、特に自動化した組立てラインに適しており、オフライン処理、硬化炉、及び大量生産環境に影響を与える可能性のある他の要件の必要性をなくすことができる。接着剤１３４をＴｇより下に冷却することにより、第１及び第２部材の制御された分離が可能となり、分離工程中の部材の変形又は他の損傷を減少させる。
【００４３】
それぞれの部材の選択した構成によってさらに、接着剤の制御された取り除きが容易になり、その結果所望通りに、実質的に全ての接着剤が１つの部材（それは再使用可能である）から取り除かれ、もう１つの部材（これは廃棄され得る）に保持される。充填材料の使用はさらに、接着剤の厚さを制御し、実質的に全ての接着剤を分離した部材のただ１つに保持する能力を高める。
【００４４】
したがって、本明細書で示した様々な好ましい実施例は、比較的高い接着強度が所与の動作範囲で所望され、その後に部材がこの動作範囲より下の温度で、かなり低い接着強度で分離することができるなどの、広い様々な用途で有利に使用することができる。
【００４５】
好ましい実施例で、冷却源は、接着剤の温度を「室温」状態（例えば、２０℃）より相当下の温度に積極的に低下させるように開示してきたが、それは必ずしも必要ではない。例えば、別の用途では、動作範囲は十分に高く、したがって、接着剤を所与の周囲温度に消極的に冷却することが、接着剤をガラス遷移温度以下、すなわち部材の分離に適した状態に置くのに十分である可能性がある。
【００４６】
今ではもう、本発明の好ましい実施例は、一般に、第１部材を第２部材に取り付け、その後に分離させる装置及び方法に対するものであることは理解されるであろう。
【００４７】
好ましい実施例によれば、この方法は、（１１８などの）第１の部材を（１１６などの）第２の部材に取り付けるために、（１３４などの）接着剤を（ステップ１３２、１４０などによって）使用し、第１及び第２部材を分離するために、その後（ステップ１５２などによって）接着剤を接着剤のガラス遷移温度より下の温度に冷却する段階を含むことが好ましい。
【００４８】
使用する段階は、（ステップ１３２などによって）接着剤を第１の部材に塗布し、（ステップ１３６などによって）接着剤の硬化を開始させるために、接着剤を（１３８などによって）紫外線に暴露し、（ステップ１４０などによって）接着剤の上に第２の部材を置き、そして（ステップ１４２などによって）接着剤の硬化を完了させるために接着剤に熱を加える段階を含むことが好ましい。
【００４９】
この方法はさらに、第１及び第２部材を分離させるために、接着剤がガラス遷移温度より下の前記温度にある間に、（１５８などの）機械的力を（ステップ１５６などによって）第１及び第２部材のうちの少なくとも選択した１つに加えることを含むことが好ましい。
【００５０】
この方法はさらに、部材のうちの１つにのみ（１６４などの）表面接着促進剤、又は（１６６などの）微構造の模様を使用することを通してなど、異なる接着接合特性を有する、第１及び第２部材のそれぞれの合せ面を選択的に構成することを含むことが好ましい。（１６８などの）充填材料も、接着剤の厚さを制御し、構造的均一性を高めるために使用することができる。
【００５１】
この方法はさらに、冷却段階の後で、接着剤が前記第１及び第２部材に接着している程度を評価するために、分離した第１及び第２部材のうちの少なくとも選択した１つに（１３８などの）紫外線を作用させることを含むことが好ましい。
【００５２】
第１及び第２部材のうちの選択した１つが（１１６などの）アクチュエータ・アームを含み、第１及び第２部材のうちの残りの１つが、（１２０などの）データ・トランスデューサを支持する（１１８などの）懸架アセンブリを含むことが好ましい。これに代えて、第１及び第２部材のうちの選択された１つが（１１８などの）懸架アセンブリを含み、第１及び第２部材のうちの残りの１つが、（１２０などの）データ・トランスデューサを含む。
【００５３】
さらなる好ましい実施例によれば、この装置は、（１１８などの）第１の部材、（１１６などの）第２の部材、及び第１部材を第２部材に取り付ける（１３４などの）接着剤を備え、第１部材、第２部材及び接着剤はそれぞれ、その後に接着剤を接着剤のガラス遷移温度より下に冷却し、第１及び第２部材の分離を行う際に、（図６に示すように）実質的に全ての接着剤が第１及び第２部材のうちの選択した１つから取り除かれ、第１及び第２部材のうちの残りの１つに保持されるように構成される。
【００５４】
前述同様に、第１及び第２部材のそれぞれの合せ面は、部材の１つにのみ（１６４などの）表面接着促進剤、又は（１６６などの）微構造の模様を使用することを通してなど、異なる接着接合特性を有するように構成することが好ましい。（１６８などの）充填材料も、接着剤の厚さを制御し、構造的均一性を高めるために使用することができる。
【００５５】
添付の特許請求の範囲では、第１及び第２部材を取り付ける、かつ分離するための記載された段階は、図３及び５に開示した手順１３０及び１５０に対応していることは理解されるであろう。
【００５６】
本発明の様々な実施例の多数の特性及び利点を前述の説明で示してきたが、本発明の様々な実施例の構造及び機能の詳細と共に、この詳細な説明は例示のみであり、添付の特許請求の範囲が表現されている術語の、広い一般的意味で示された最大限に至る本発明の原理内で、特に部品の構造及び配置の点で、変更を詳細に行うことができることは理解されたい。
【図面の簡単な説明】
【００５７】
【図１】本発明の好ましい実施例によるデータ記憶装置の具体的な構造の分解図である。
【図２】図１のデータ記憶装置の懸架装置（屈曲部）及びアクチュエータ・アームの１部分を示す図である。
【図３】図２の構成部品などの、第１の部材を第２の部材に取り付けるための、本発明の好ましい実施例により実施する段階を示す、組立て手順用の流れ図である。
【図４】図３の好ましい順序をさらに示す、第１及び第２部材の一連の立面、断面図である。
【図５】図３の第１及び第２部材をその後に分離するための、本発明の好ましい実施例により実施する段階を示す、分解手順用の流れ図である。
【図６】図５の好ましい順序をさらに示す、第１及び第２部材の一連の立面、断面図である。
【図７】部材の１つが、好ましくはシラン剤を含む表面接着促進剤を備える、第１及び第２部材の代替実施例の図である。
【図８】部材の１つが、接着剤の接着性を高めるため微構造模様を備える、第１及び第２部材の別の代替実施例の図である。
【図９】全体的に厚さを制御し、接着剤の構造的均一性を高めるため、充填材料を接着剤に加えた、別の代替実施例の図である。
【符号の説明】
【００５８】
１００  データ記憶装置
１０２  ハウジング
１０４  基台
１０６  カバー
１０８  スピンドル・モータ
１１０  記憶媒体
１１２  アクチュエータ
１１６  アクチュエータ・アーム
１１８  懸架装置
１２０  データ・トランスデューサ
１２２  回路アセンブリ
１２４  プリント基板
１３４  接着剤
１３８  ＵＶ源
１４４  熱源
１６４  表面接着促進剤
１６６  微構造の模様
１６８  ガラス球
【図１】
2007009168.tif 000003
【図２】
2007009168.tif 000004
【図３】
2007009168.tif 000005
【図４】
2007009168.tif 000006
【図５】
2007009168.tif 000007
【図６】
2007009168.tif 000008
【図７】
2007009168.tif 000009
【図８】
2007009168.tif 000010
【図９】
2007009168.tif 000011